(57)【要約】【課題】バーニングを抑制したアルマイト処理を実現するスクロール型圧縮機及びスクロール型圧縮機の製造方法を提供すること。【解決手段】端板１２ａ，１３ａに渦巻き状のラップ１２ｂ，１３ｂが立設されてなる固定スクロール部材１２，旋回スクロール部材１３が互いに噛み合わされているとともに、一方のスクロールを他方のスクロールに対して公転旋回運動可能に支持されてなるスクロール型圧縮機において、前記ラップ１２ｂ，１３ｂの渦巻外側終端のラップエンド隅部３０に面取り部としてＲ形状３２が設けられている。【選択図】図１
2008202525.tif 000002
【特許請求の範囲】
【請求項１】
端板に渦巻き状のラップが立設されてなるスクロールが互いに噛み合わされているとともに、一方のスクロールを他方のスクロールに対して公転旋回運動可能に支持されてなるスクロール型圧縮機において、
前記ラップの渦巻外側終端の隅部に面取り部が設けられている、スクロール型圧縮機。
【請求項２】
端板に渦巻き状のラップが立設されてなるスクロールが互いに噛み合わされているとともに、一方のスクロールを他方のスクロールに対して公転旋回運動可能に支持されてなるスクロール型圧縮機において、
前記ラップが前記他側のスクロール端板と面する歯先の縁部に面取り部が設けられている、スクロール型圧縮機。
【請求項３】
端板に渦巻き状のラップが立設されてなるスクロールが互いに噛み合わされているとともに、一方のスクロールを他方のスクロールに対して公転旋回運動可能に支持されてなるスクロール型圧縮機の製造方法において、
前記ラップの渦巻外側終端の隅部あるいは前記ラップが前記他側のスクロール端板と面する歯先の縁部を面取り加工した後で前記ラップに対してアルマイト処理を行なう、スクロール型圧縮機の製造方法。
【発明の詳細な説明】
【技術分野】
【０００１】
本発明は、空気調和装置や冷凍装置等に具備されるスクロール型圧縮機に関するものである。
【背景技術】
【０００２】
スクロール型圧縮機は、固定スクロール部材及び旋回スクロール部材（一対のスクロール部材）を、互いの渦巻き状の壁体どうしを組み合わせて配置し、固定スクロール部材に対して旋回スクロール部材を公転旋回運動させることで、各壁体間に形成される圧縮室の容積を漸次減少させ、この圧縮室内の流体の圧縮を行うものである。
【０００３】
図４（ａ），（ｂ）に示すように、前記一対のスクロール部材は、端板１ａ上に渦巻き状のラップ１ｂを設置した固定スクロール部材１と、端板２ａ上にラップ２ｂを設置した旋回スクロール部材２との組み合わせで構成される。そして、これらを互いに１８０度の角度をずらして両ラップ１ｂ，２ｂを噛み合わせ、旋回スクロール部材２を公転運動させることによって両ラップ１ｂ，２ｂ間に形成される密閉空間が外方から内方へ移動しつつ容積を減少することで、流体の圧縮を行うものである。なお、図４（ａ）の符号３は、この圧縮流体を吐出するための吐出ポートを示している。
【０００４】
固定スクロール部材１および旋回スクロール部材２について必要強度を得るために、合金の採用や、陽極酸化被膜処理（アルマイト処理）等の表面処理が施される（例えば特許文献１乃至特許文献５参照）。なお、アルマイト処理の実施にあたっては、スクロールを上記形状に切り出した後、ハンガーに設置された治具に取り付け、硫酸溶液中で電解し被膜を形成する。
【特許文献１】特開平４−５４９１号公報
【特許文献２】特開平４−３４７３０１号公報
【特許文献３】特開平５−３２０８３号公報
【特許文献４】特開平９−７２２８８号公報
【特許文献５】特開２００１−３０４１４９号公報
【発明の開示】
【発明が解決しようとする課題】
【０００５】
このアルマイト処理の際に、従来のスクロール部材では、角に対して局所的に電流が集中し、その結果皮膜が脆くなり、場合によっては母材が溶出してしまうバーニング現象が発生する場合がある。
【０００６】
バーニングは、図４に示したスクロールのラップエンド隅部５や、図５に示した、他方のスクロール端板に面する歯先の縁部６など、端部に発生しやすい傾向がある。
【０００７】
本発明は上記事情に鑑みてなされたものであり、バーニングを抑制したアルマイト処理を実現するスクロール型圧縮機及びスクロール型圧縮機の製造方法を提供することを目的とする。
【課題を解決するための手段】
【０００８】
そこで、本発明においては上記問題を解決するため、以下の手段を採用した。
請求項１に記載のスクロール型圧縮機は、端板に渦巻き状のラップが立設されてなるスクロールが互いに噛み合わされているとともに、一方のスクロールを他方のスクロールに対して公転旋回運動可能に支持されてなるスクロール型圧縮機において、前記ラップの渦巻外側終端の隅部に面取り部が設けられていることを特徴とする。
【０００９】
また、請求項２に記載の発明は、端板に渦巻き状のラップが立設されてなるスクロールが互いに噛み合わされているとともに、一方のスクロールを他方のスクロールに対して公転旋回運動可能に支持されてなるスクロール型圧縮機において、前記ラップが前記他側のスクロール端板と面する歯先の縁部に面取り部が設けられていることを特徴とする。
【００１０】
これにより、アルマイト処理時における電流の局所集中がおきにくくなり、焼き付きを防止することができる。
なお、面取り部としては、平坦面で角が面取り加工されているものであってもよいし、Ｒ加工のように滑らかに角が取られている加工でもよい。角付きの形状から切削加工により面取り加工を施してもよいし、当初より面取り部を備えた形状として作られてもよい。
【００１１】
請求項３に記載の発明は、端板に渦巻き状のラップが立設されてなるスクロールが互いに噛み合わされているとともに、一方のスクロールを他方のスクロールに対して公転旋回運動可能に支持されてなるスクロール型圧縮機の製造方法において、前記ラップの渦巻外側終端の隅部あるいは前記ラップが前記他側のスクロール端板と面する歯先の縁部を面取り加工した後で前記ラップに対してアルマイト処理を行なうことを特徴とする。
【００１２】
これにより、アルマイト処理時における電流の局所集中がおきにくくなり、バーニング現象の発生率を低減することができる。
【発明の効果】
【００１３】
本発明のスクロール型圧縮機及びその製造方法によれば、スクロールのアルマイト処理時における電流の局所集中がおきにくくなり、焼き付きを防止することができる。
【発明を実施するための最良の形態】
【００１４】
本発明のスクロール型圧縮機の一実施形態についての説明を、図面を参照しながら以下に行うが、本発明がこれのみに限定解釈されるものでないことはもちろんである。
図１は、本実施形態のスクロール型圧縮機の全体構成を示す断面図である。また、図２は、同スクロール型圧縮機に用いられる部品を示す図であって、（ａ）は固定スクロール部材の斜視図、（ｂ）は旋回スクロール部材の斜視図である。また、図３は、同スクロール部材の要部を示す図である。
【００１５】
図１において、符号１１はハウジングを示しており、このハウジング１１は、カップ状に形成されたハウジング本体１１ａと、該ハウジング本体１１ａの開口端側に固定された蓋板１１ｂとで構成されている。
ハウジング１１の内部には、固定スクロール部材１２および旋回スクロール部材１３からなるスクロール型圧縮機構が配設されている。
固定スクロール部材１２は、図２（ａ）に示すように、端板１２ａの一側面にラップ１２ｂが立設された構成となっている。旋回スクロール部材１３は、図２（ｂ）に示すように、端板１３ａの一側面にラップ１３ｂが立設された構成となっており、ラップ１３ｂは固定スクロール部材１２側のラップ１２ｂと実質的に同一形状をなしている。また、図１に示すように、ラップ１２ｂ，１３ｂの各上縁には、圧縮室Ｃの気密性を高めるチップシール２７，２８が配設されている。
【００１６】
図１に示すように、固定スクロール部材１２は、ボルト１４によってハウジング本体１１ａに締結されている。また、旋回スクロール部材１３は、固定スクロール部材１２に対して相互に公転旋回半径だけ偏心し、かつ１８０゜だけ位相をずらせた状態で、ラップ１２ｂ，１３ｂどうしをかみ合わせて組み付けられており、蓋板１１ｂと端板１３ａとの間に設けられた自転阻止機構１５によって自転を阻止されつつ公転旋回運動可能に支持されている。
【００１７】
蓋板１１ｂには、クランク１６ａを備える回転軸１６が貫通されており、ベアリング１７ａ，１７ｂを介して蓋板１１ｂに回転自在に支持されている。
旋回スクロール部材１３側の端板１３ａの他端面の中央にはボス１８が突設されている。ボス１８にはクランク１６ａの偏心部１６ｂが軸受１９およびドライブブッシュ２０を介して回動自在に収容されており、旋回スクロール部材１３は回転軸１６を回転させることによって公転旋回運動するようになっている。また、回転軸１６には、旋回スクロール部材１３に与えられたアンバランス量を打ち消すためのバランスウェイト２１が取り付けられている。
【００１８】
また、ハウジング１１の内部には、固定スクロール部材１２の周囲に吸入室２２が形成され、さらにハウジング本体１１ａ内の底面と端板１２ａの他側面とによって区画された吐出キャビティ２３が形成されている。
ハウジング本体１１ａには、吸入室２２に向けて低圧の流体を導く吸入ポート２４が設けられ、固定スクロール部材１２側の端板１２ａの中央には、容積を漸次減少させながら中心部に移動してきた圧縮室Ｃから吐出キャビティ２３に向けて高圧の流体を導く吐出ポート２５が設けられている。また、端板１２ａの他側面（裏面）は、所定の大きさ以上の圧力が作用した場合にのみ吐出ポート２５を開く吐出弁２６が設けられている。
【００１９】
以上説明の構成を有する本実施形態のスクロール型圧縮機の全体動作について説明すると、図示されないモータによって前記回転軸１６をその軸心回りに回転駆動させる。すると、偏心軸１６ｂが旋回スクロール部材１３を、固定スクロール部材１２に対して自転を阻止されつつ公転旋回運動させる。そして、吸入ポート２４より取り込まれた低圧の流体は、体積を漸次減少させて徐々に高圧化しながら移動し、ついには吐出ポート２５を通って吐出キャビティ２３へと吐出される。
【００２０】
本実施形態のスクロール型圧縮機においては、以下の製造方法とする。
ラップを切削加工する際に、図２に示したように、ラップエンド隅部３０を、Ｒ形状（面取り部）３２とする。また、図３はラップ巻方向と直交する断面である。図のように、ラップの歯先縁部３１をＲ形状（面取り部）３３とする。
なお、図では誇張して描いてあるが、Ｒ形状３２，３３の実寸は僅かであるため、圧縮性能に対して影響はない。
【００２１】
このように、本実施形態のスクロール型圧縮機においては、ラップ１２ｂ，１３ｂの渦巻外側終端のラップエンド隅部３０に面取り部としてのＲ形状３３が設けられ、また、ラップ１２ｂ，１３ｂが前記他側のスクロール端板１２ａ，１３ａと面する歯先の歯先縁部３１に面取り部としてＲ形状３３が設けられていることにより、アルマイト処理においてラップエンド隅部３０や歯先縁部３１に電流の集中がおきにくくなり、その結果、焼き付き（バーニング現象）を防止することができる。
【００２２】
なお、上記の例ではラップエンド隅部３０及び歯先縁部３１をＲ付加工としたが、面取り等、角が立たない加工を施すものであれば、平坦面による面取り形状など、いかなる形状であってもよいのはもちろんである。面取り形状の場合、ラップの切削加工の際に一体的に形成するため、加工が容易である。
【図面の簡単な説明】
【００２３】
【図１】本発明のスクロール型圧縮機の一実施形態を示す図であって、その全体構成を示す断面図である。
【図２】同スクロール型圧縮機に用いられる部品を示す図であって、（ａ）は固定スクロール部材の斜視図、（ｂ）は旋回スクロール部材の斜視図である。
【図３】固定スクロール部材及び旋回スクロール部材の要部を示す図であって、ラップ巻方向と直交する断面図である。
【図４】従来のスクロール型圧縮機に用いられる部品を示す図であって、（ａ）は固定スクロール部材の斜視図、（ｂ）は旋回スクロール部材の斜視図である。
【図５】同スクロール部材の歯先を示した、ラップ巻方向と直交する断面図である。
【符号の説明】
【００２４】
１２…固定スクロール部材、１２ａ…端板、１２ｂ…ラップ、１３…旋回スクロール部材、１３ａ…端板、１３ｂ…ラップ、３０…ラップエンド隅部、３１…歯先縁部、３２…Ｒ形状（面取り部）、３３…Ｒ形状（面取り部）
【図１】
2008202525.tif 000003
【図２】
2008202525.tif 000004
【図３】
2008202525.tif 000005
【図４】
2008202525.tif 000006
【図５】
2008202525.tif 000007